(57)【要約】【課題】表示部の省電力化・低コスト化を図れ、また、利便性を向上させた情報掲示装置およびこれを用いたシステムを提供する。【解決手段】情報掲示装置において、表示部が、個々にユニークな識別ＩＤが付与された複数の表示装置を有し、前記各表示装置の表示を個別に制御可能で、前記識別ＩＤに関連付けた掲示用情報が入力されると、当該識別ＩＤに対応する前記表示装置のみの表示内容を更新する表示制御部を備える。【選択図】図１３
2011043625.tif 000002
【特許請求の範囲】
【請求項１】
外部または内部の記憶部から行動予定等の掲示用情報が入力される入力部と、この掲示用情報の表示部と、を含み構成される情報掲示装置において、
前記表示部は、個々にユニークな識別ＩＤが付与された複数の表示装置を有し、
前記各表示装置の表示を個別に制御可能で、前記識別ＩＤに関連付けた掲示用情報が入力されると、当該識別ＩＤに対応する前記表示装置のみの表示内容を更新する表示制御部を備えたことを特徴とする情報掲示装置。
【請求項２】
前記表示装置が、電源が切断されても表示を維持可能に構成され、
前記表示装置の表示を駆動する駆動手段として唯一の駆動部を複数の表示装置に対して共通に使用し、入力された掲示用情報の前記識別ＩＤに応じて駆動経路を切り換えることで特定の前記識別ＩＤに応じた表示装置のみの表示内容を更新することを特徴とする請求項１に記載の情報掲示装置。
【請求項３】
前記掲示用情報とは前記識別ＩＤに対応させた利用者の行動予定であり、
前記表示部にタッチパネルなどの手書き入力手段を設け、
該手書き入力手段により入力された行動予定を前記記憶部に登録するとともに前記表示装置の表示内容を更新することを特徴とする請求項１または２に記載の情報掲示装置。
【請求項４】
前記表示装置を情報掲示装置本体部に対して着脱可能に構成して複数取り付けたことを特徴とする請求項１〜３のいずれか一項に記載の情報掲示装置。
【請求項５】
請求項１〜４のいずれか一項に記載の情報掲示装置と、
該情報掲示装置とネットワークを介して通信可能で、前記情報掲示装置で個々の表示装置毎に表示する掲示用情報を前記識別ＩＤと関連づけて記憶する記憶部を含み構成され、前記掲示用情報を管理するためのサーバと、該サーバとネットワークを介して通信可能なパソコンとで構成され、
前記サーバは、前記パソコンが送信した掲示用情報を受信した場合に、この掲示用情報を前記ＩＤ情報と関連付けて前記情報掲示装置に、特定の前記表示装置における表示内容の表示要求として送信することを特徴とする情報掲示システム。
【発明の詳細な説明】
【技術分野】
【０００１】
本発明は、電子ペーパー等を用いた表示部に行動予定表等の情報を表示する情報掲示装置および情報掲示システムに関する。
【背景技術】
【０００２】
従来、特定のメンバーに対して個々に対応させて行動予定表等の情報を表示（掲示）する共用の情報掲示装置、不特定多数の人が集まる場所に設置される大画面の表示装置に列車情報やフライト情報などの情報提供を行うようにした情報掲示装置、および情報掲示システムが実用化されている。この種の用途の場合、個々の要素（メンバー名、列車番号等）の夫々に対して、共通の情報内容（例えば、行動予定、出発時間等の情報）を対応付けて一覧表形式に表示させて、多数の人が同時に閲覧することができるようにしている。
【０００３】
表示部には、近年、写真などの画像や動画像をきれいに映すことが可能な表現能力の向上したプラズマディスプレイや液晶ディスプレイなどの大画面でしかも薄くすることが可能な表示装置が使用されるようになってきている。また、省電力の観点から電子ペーパーも多く利用されている。
【０００４】
例えば、特許文献１には、勤怠管理端末、各従業員のパソコン、入退室管理端末からの情報により、サーバが各従業員の行動状態および行動予定を表す情報を生成し、その情報を一覧表形式で電子ペーパーに表示する行動表示システムが提案されている。
【０００５】
ちなみに、上記のような情報などを表示する表示装置において、表示画面の閲覧者の要求する内容を表示させる目的で、表示装置にボタンやタッチパネルなどの入力手段を設けるようにして、この入力手段を閲覧者が操作することで、たとえばメニュー画面から所望の商品などを表示させるようにした装置も知られている。
【発明の概要】
【発明が解決しようとする課題】
【０００６】
しかしながら、特許文献１に開示のシステム等の従来のものでは一部の表示情報を更新する際にも表示部（表示領域）全体の表示を書替えるといった無駄な動作が発生する。この不都合を避けるため、表示部の部分書替えといった特殊な機能を実装し書替え動作を省略することが考えられるが、この方法は省エネ・低コスト・利便性において欠けるとの難点が残る。
【０００７】
本発明は、上記実情を考慮してなされたものであり、表示部を分割構成として個別に駆動することで、書替えを必要とする１つまたは同時に複数の表示部に対して個別に書き変え動作を実施することを可能にし、省電力化・低コスト化が図れ、また、利便性を向上させた優位性の有る情報掲示装置およびシステムを提供することを目的としている。
【課題を解決するための手段】
【０００８】
上記課題を解決するために、請求項１に記載の本発明の情報掲示装置は、外部または内部の記憶部から行動予定等の掲示用情報が入力される入力部と、この掲示用情報の表示部と、を含み構成される情報掲示装置において、前記表示部は、個々にユニークな識別ＩＤが付与された複数の表示装置を有し、前記各表示装置の表示を個別に制御可能で、前記識別ＩＤに関連付けた掲示用情報が入力されると、当該識別ＩＤに対応する前記表示装置のみの表示内容を更新する表示制御部を備えたことを特徴とする。
【０００９】
また、請求項２に記載の発明は、請求項１に記載の情報掲示装置において、前記表示装置が、電源が切断されても表示を維持可能に構成され、前記表示装置の表示を駆動する駆動手段として唯一の駆動部を複数の表示装置に対して共通に使用し、入力された掲示用情報の前記識別ＩＤに応じて駆動経路を切り換えることで特定の前記識別ＩＤに応じた表示装置のみの表示内容を更新することを特徴とする。
【００１０】
また、請求項３に記載の発明は、請求項１または２に記載の情報掲示装置において、前記掲示用情報とは前記識別ＩＤに対応させた利用者の行動予定であり、前記表示部にタッチパネルなどの手書き入力手段を設け、該手書き入力手段により入力された行動予定を前記記憶部に登録するとともに前記表示装置の表示内容を更新することを特徴とする。
【００１１】
また、請求項４に記載の発明は、請求項１〜３のいずれか一項に記載の情報掲示装置において、前記表示装置を情報掲示装置本体部に対して着脱可能に構成して複数取り付けたことを特徴とする。
【００１２】
また、請求項５に記載の本発明の情報掲示システムは、請求項１〜４のいずれか一項に記載の情報掲示装置と、該情報掲示装置とネットワークを介して通信可能で、前記情報掲示装置で個々の表示装置毎に表示する掲示用情報を前記識別ＩＤと関連づけて記憶する記憶部を含み構成され、前記掲示用情報を管理するためのサーバと、該サーバとネットワークを介して通信可能なパソコンとで構成され、前記サーバは、前記パソコンが送信した掲示用情報を受信した場合に、この掲示用情報を前記ＩＤ情報と関連付けて前記情報掲示装置に、特定の前記表示装置における表示内容の表示要求として送信することを特徴とする。
【発明の効果】
【００１３】
本発明によれば、行動予定表等の情報掲示装置の表示部を複数の表示装置（表示ユニット）により分割構成し、書替えを必要とする１つまたは同時に複数の表示部に対して書替え動作を実施することを可能にしたことにより、省電力化・低コスト化が図れ、また、利便性の点において優位性の有る情報掲示装置およびシステムを提供することが可能となる。
【図面の簡単な説明】
【００１４】
【図１】本発明の第１実施形態である行動予定表示システムのシステム構成図である。
【図２】第１実施形態の行動予定表示装置の構成ブロック図である。
【図３】第１実施形態に係る表示装置の構成ブロック図である。
【図４】第１実施形態に係るサーバの要部を示すブロック図である。
【図５】サーバおよび行動予定表示装置夫々でのＩＤ情報管理を模式的に示す説明図である。
【図６】第１実施形態の動作例を示すフローチャートである。
【図７】送信データのフォーマットの例である。
【図８】第２実施形態の行動予定表示装置の構成ブロック図である。
【図９】第２実施形態に係る表示装置の構成ブロック図である。
【図１０】第３実施形態に係る表示装置の構成ブロック図である。
【図１１】第３実施形態の動作例を示すフローチャートである。
【図１２】送信データのフォーマットの例である。
【図１３】第４実施形態の行動予定表示装置の構成ブロック図である。
【発明を実施するための形態】
【００１５】
［第１実施形態］
以下、図面を参照して、本発明の実施形態を詳細に説明する。図１は、本発明に係る情報掲示システムの一例としての行動予定表示システムの一実施形態を示したシステム構成図である。この第１実施形態の行動予定表示システムは、情報のインフラとなるＬＡＮ等のネットワーク：ＮＷにより互いに接続された、利用者各員の行動予定情報を表示する情報掲示装置としての行動予定表示装置１００、行動予定情報を蓄積・管理するサーバ３００、行動予定情報を入力するための複数のパソコン４００により構成される。
【００１６】
ここで、構成周知のパソコン（パーソナルコンピュータ）４００は、個々のメンバーが業務を遂行するために各メンバーに配備された作業端末装置である。各メンバーは、出社後自身のパソコン４００を起動し、業務活動を開始するが、そのとき、パソコン４００は起動時に当該メンバーの識別情報（例えば、パソコン４００の端末番号や起動時認証用のユーザＩＤ等）及び起動時刻をネットワーク：ＮＷに接続されたサーバ３００に送信する。また、パソコン４００の稼動を終了させる際にも、メンバーの識別情報及び終了時刻をサーバ３００に送信する。メンバーは必要に応じて随時、行動予定情報（予定時刻情報を含む）を入力し、サーバ３００に送信し登録する。この際にも前述識別情報が付加されて送出される。
【００１７】
本実施形態の行動予定表示装置１００（情報掲示装置）のブロック図を図２に示す。ＣＰＵおよびＲＡＭを含み構成されていて行動予定表示装置１００全体の制御を行う制御部１１０、行動予定情報を表示する複数の表示装置２１０Ａにより構成された表示部２００、表示する行動予定情報を記憶する記憶部１０１、表示部への画像表示を制御する表示制御部１０２、動作モードを選択するためのスイッチ１０３、行動予定および表示部２００の情報の入出力を行うための外部Ｉ／Ｆ部１０４、そして電源１０５により構成されている。
【００１８】
図３は、行動予定表示装置１００における個々の表示装置２１０Ａのブロック図である。図示のように、各表示装置２１０Ａは、表示媒体２０１、表示媒体に表示するデータを駆動する駆動部２０２、表示装置２１０Ａの情報の入出力するためのＩ／Ｆ部２０３、動作モード（定常表示モードおよび書替えモード）を選択するための表示部スイッチ２０４、表示装置２１０ＡのＩＤ情報を格納するためのＩＤ情報部２０５により構成されている。
【００１９】
ここでいう表示媒体２０１は、電気泳動方式などの記憶性画像表示媒体により構成され電源が切断されても表示を維持できるようになっている。通常の表示時には、各表示装置２１０Ａへは電源供給されておらず表示の更新が必要となる時のみ給電され表示書替え動作が可能となる。
【００２０】
表示制御部１０２は複数の表示装置２１０Ａのうち行動予定情報を更新する対象となる表示装置２１０Ａに対してのみデータを転送するように、ＩＤ情報に基づく経路の切り替えを行う仕組みを有する。すなわち、表示制御部１０２はデータ経路を切り換えて、表示の更新対象となるＩＤの個人用の表示装置２１０ＡのＩ／Ｆ部２０３に対してのみ表示データを送信する。
【００２１】
次に、図４は、本実施形態におけるサーバ３００の要部のブロック図である。サーバ３００は、ＣＰＵを主体に構成された既知のＰＣ（パソコン）と同等の構成をしているが周知構成要素については図示を省略している。図示のように、サーバ３００は、行動予定情報を格納するデータ格納部３０１、行動予定情報の入出力を行うための通信Ｉ／Ｆ部３０２、行動予定表示装置１００において表示するための（掲示）データを生成する表示生成部３０３、各表示装置２１０Ａの夫々のＩＤ情報を格納するためのＩＤ情報部３０４を含み構成されている。ＩＤ情報部３０４は、表示部２００の複数のＩＤ情報部２０５に対応して識別情報を管理するＩＤ情報テーブルを保持している（図５参照）。
【００２２】
図６は、本実施形態の動作例を示すフローチャートである。パソコン４００より行動予定情報を入力すると（ステップＳ０１）、特定のＩＤ（個人の表示装置２１０Ａ）に対する行動予定登録要求としてサーバ３００へと送出される。なお、特定のＩＤ（個人の表示装置２１０Ａ）を明示的に入力するようにすれば、当該パソコンの所有者以外の行動予定も入力して送信可能であるものとする。
【００２３】
図７は、この実施形態における送信データのフォーマットの例である。行動予定情報を受信すべき特定の表示装置を示すＩＤ情報、この表示情報のＩＤ情報と関連付けて記憶されている個人名、行動予定情報が有効となる時間、表示画像データ（行動予定情報そのもの）、在社／退社情報などにより構成される。
【００２４】
入力された行動予定情報はネットワークを介してサーバ３００に受信されそのデータ格納部３０１に登録される（ステップＳ０２）。なお、行動予定は、パソコン４００から新たな登録をすることで随時に追加あるいは変更等することが可能である。登録された行動予定に対応する、行動予定表示装置１００側での表示の更新は行動予定情報に入力された時間に応じて、適切なタイミングでサーバ３００から表示データが転送され書替えが行われる。
【００２５】
すなわち、サーバ３００では登録された行動予定情報に応じて、表示生成部３０３が表示データを生成する（ステップＳ０３）。この表示データの生成過程では、データ格納部３０１に既に蓄積されている同一ＩＤ情報の行動予定と合成し、所定のレイアウト指示を付加しデータを生成する。そして、ＩＤ情報と関連付ける形で行動予定表示装置１００へと適切なタイミングで表示データが送信される（ステップＳ０４）。
【００２６】
行動予定表示装置１００は表示データを受信し、対象となるＩＤを持つ表示装置が存在するかを検証し（ステップＳ０５）、存在する場合は（ステップＳ０５：Ｙｅｓ）、一旦記憶部１０１に受信したデータ中のＩＤ情報および表示データを記憶する（ステップＳ０６）。更に、記憶したＩＤ情報および表示データをもとに表示制御部１０２を介してＩＤ情報で指定された該当する表示装置２１０Ａに行動予定情報を更新表示させる（ステップＳ０７）。その際、表示制御部１０２はデータ経路を切り換えて、表示の更新対象となるＩＤの（個人）の表示装置２１０Ａに対してのみ表示データを送信する。
【００２７】
各表示装置２１０Ａは既述したように、通常、電源供給されておらず、表示制御部１０２から自装置あての表示データを受信した場合（表示の更新が必要となる時）のみ給電されて表示書替え動作が可能となる。このように、書替えが必要な特定の表示装置２１０Ａのみに対する行動予定情報の表示更新を行うことが可能となり、表示書替え動作の間のみ当該表示装置２１０Ａで電力が消費される。
【００２８】
なお、予定時刻が過ぎた行動予定は、行動予定を蓄積・管理するサーバ３００が自動的に削除するようになっており、削除があった場合についても上述したと同様に表示生成部３０３が最新の表示データを新たに生成し、この変更された表示データを行動予定表示装置１００に送信（転送）して再表示させる（掲示期限に基づく行動予定表の更新）。
【００２９】
ちなみに、複数のメンバーでグループ等が構成され、当該グループにグループＩＤが設定されているような場合には、グループＩＤを明示的に指定してグループ共通の行動予定を入力可能にすることも可能で好ましい。この場合には、サーバ３００側に、グループＩＤとこれに対応するメンバーの表示装置用識別ＩＤとの対応テーブルを保持させてグループＩＤから表示すべき表示装置用識別ＩＤの変換を行って、該当する識別ＩＤの各表示装置２１０Ａの行動予定を更新するよう構成すれば良い。
【００３０】
以上説明した本実施形態のシステムによれば、行動予定表示装置１００の表示部うち、書替えが必要な特定の表示装置２１０Ａのみに対する行動予定情報の表示更新を行うことが可能となる。従って、行動予定システム全体として機能を損なうことなしに、行動予定表示装置の省電力化が達成できている。
【００３１】
［第２実施形態］
続いて、第２の実施形態のシステムについて説明する。システムの概略構成は前実施形態（図１参照）と同様であり、行動予定表示装置１００のみが異なっている。図８は、第２の実施形態の行動予定表示装置１００の構成ブロック図を、図９はその表示装置２１０Ｂの構成ブロック図を示している。サーバ３００等の前実施形態と同等部分については説明を省略し、以下では特徴部のみ説明する。
【００３２】
前実施形態においては、駆動部２０２が各表示装置毎に個別に実装されていたが、本実施形態においては図８に示すように、行動予定表示装置１００側に全表示部（全表示装置２１０Ｂ）に対する共通な駆動部２０２Ａとして実装する構成としている。図９に示した表示装置２１０Ｂは、先の表示装置２１０Ａ（図３）と略同等構成で、駆動部のみが省略された構成となっている。図８の駆動部２０２Ａでは、明示しないが適宜スイッチ要素を備え、表示の書替えが必要な表示部にのみ駆動出力を送出するようになっている。対応して、これにより、行動予定システム全体として機能を損なうことなく省電力化、また電源の小形化によるコストダウンが可能となっている。
【００３３】
［第３実施形態］
第２実施形態の構成と比べて、表示装置の構成のみが異なっている第３の実施形態のシステムについて説明する。表示装置以外は第２実施形態と同一構成とし、説明は省略する。図１０は、第３実施形態に係る表示装置２１０Ｃの構成ブロック図である。第２実施形態における表示装置相当の構成に加えて、行動情報予定の入力手段となる入力部２０６が設けられている。入力部２０６には、例えば手書き機能を備えたの入力手段等を設ける。本実施形態では、表示領域と一体としたタッチパネルとして実装してある。
【００３４】
システム利用者は、入力部２０６によって行動予定表示装置１００側からも行動予定の入力が可能で、各表示部からの手書き入力情報は行動予定表示装置１００の制御部１１０によって処理（手書き認識→電子データ化）されて行動予定情報として記憶部１０１に格納され、表示装置２１０Ｃへの表示へ反映させ、更にサーバ３００へと送信されることで、行動予定表示装置１００側からの行動予定情報入力（登録）を行うことが可能となる。あるいは、入力部としてシート状キーボード等のその他の入力手段を備えても良い。また、併設してもかまわない。
【００３５】
第３実施形態においても、各パソコンからの行動予定入力と、それに対応した行動予定の表示（掲示）は可能であるが、これについては既に説明したので繰り返さない。第３実施形態において追加された入力部２０６を用いて行動予定表示装置１００側から行動予定情報が入力された場合の動作例を図１１のフローチャートに示す。
【００３６】
先ず、表示部２００の明示しないスイッチにより手書き入力モードに切り替えを行う（ステップＳ１１）。表示部２００において、入力手段を用い行動予定情報を手書き入力する（ステップＳ１２）。
【００３７】
手書き入力された行動予定情報は終了操作を待って、画像認識されて行動予定情報（表示用データ）に変換され（ステップＳ１３）、ＩＤ情報とともに記憶部１０１に格納される（ステップＳ１４）。この際のＩＤ情報は、タッチパネルからの出力に基づいて特定されて行動予定情報に付加される。
更に、上記ステップＳ１４で記憶したＩＤ情報および行動予定情報（表示用データ）をもとに表示制御部１０２を介して表示部２００に行動予定情報を更新表示させる（ステップＳ１５）。その際、表示制御部１０２はデータ経路を切り換えて、表示の更新対象となるＩＤ（個人の表示装置２１０Ｃ）に対してのみ表示データを送出する。
【００３８】
また、表示を更新するとともに、ネットワーク：ＮＷを介してサーバ３００に対してＩＤ情報とともに行動予定情報を送信し登録要求をする（ステップＳ１６）。図１２に、この時の行動予定情報送信データのフォーマットの例を示す。手書き入力された特定の表示部を示すＩＤ、行動予定情報が書替えられた時間、表示画像データ（手書きされた行動予定情報の電子化データ）、在社／退社情報などにより構成されている。行動予定情報送信データが、サーバ３００側で受信されると（ステップＳ１７）、行動予定情報はＩＤ情報と関連付ける形でデータ格納部３０１に登録される（ステップＳ１８）。
【００３９】
このようにして、行動予定表示装置１００からの入力により行動予定を更新するとともにサーバ３００に登録を行うことが可能となる。本実施形態においても前実施形態と同様の省電力および低コスト化できる効果が得られる他、更に、行動予定表示装置１００からも行動予定が入力できることから使い勝手が向上する効果も得られる。
【００４０】
［第４実施形態］
次に、図１３は、第４の実施形態に係るの行動予定表示装置１００のブロック図である。第２実施形態相当のシステム構成であるが、特に加え、行動予定表示装置１００の表示部２００として、表示装置２１０Ｂを個別に着脱することを可能にした着脱機構２０７を設けるようにしている。そして、それにより、ユーザの部署／レイアウト／人員の変更などに柔軟に対応してシステム構成を簡単に適合させることが可能となっていて利便性が増している。
【００４１】
着脱機構２０７自体は、既に知られた機構のうち適宜なものを利用でき、装着に応じて電気信号および電源供給線等の接続を可能とする適宜のコネクタ部を設けることで容易に実現できる。もちろん、コネクタを用いず、ハーネスにより電気的接続を行うようにしても良い。
【００４２】
このように、表示装置２１０Ｂを個別に着脱できる構成とすれば、部署／レイアウト／人員の変更などに対応し、行動予定表示装置１００に表示するメンバーの入れ替えや表示順序の入れ替えを柔軟に実施することが可能となる。なお、このような表示部の構成は、既述した第３実施形態に対しても同様に適用することが可能である。
【００４３】
なお、上述した各実施の形態は、本発明の好適な実施の形態の一例を示すものであり、本発明はそれに限定されることなく、その要旨を逸脱しない範囲内において、種々変形実施が可能である。実施形態では、サーバ装置で行動予定を管理し、行動予定表示装置で表示（掲示）を行っているが、行動予定表示装置に管理機能を持たせるようにして、サーバ装置を排した構成とすることもでき、このようなシステムも本発明に含まれる。
【産業上の利用可能性】
【００４４】
本発明は、特定項目について一覧表形式での表示を行い複数の人に情報を掲示する用途の情報掲示装置、および情報掲示システム全般にひろく応用することが可能である。
【符号の説明】
【００４５】
１００    行動予定表示装置（情報掲示装置）
１０１    （表示情報）記憶部
１０２    表示制御部
１０３    スイッチ
１０４    外部Ｉ／Ｆ部
１０５    電源
１１０    制御部
２００    表示部
２１０Ａ、２１０Ｂ、２１０Ｃ    表示装置
２０１    表示媒体（電子ペーパー）
２０２、２０２Ａ    駆動部
２０３    Ｉ／Ｆ部
２０４    表示部スイッチ
２０５    ＩＤ情報部
２０６    入力部（タッチパネル）
２０７    着脱機構
３００    サーバ
３０１    データ格納部
３０２    通信Ｉ／Ｆ部
３０３    表示生成部
３０４    ＩＤ情報部
４００    パソコン
ＮＷ    ネットワーク
【先行技術文献】
【特許文献】
【００４６】
【特許文献１】特開２００８−０９０４４４号公報
【図１】
2011043625.tif 000003
【図２】
2011043625.tif 000004
【図３】
2011043625.tif 000005
【図４】
2011043625.tif 000006
【図５】
2011043625.tif 000007
【図６】
2011043625.tif 000008
【図７】
2011043625.tif 000009
【図８】
2011043625.tif 000010
【図９】
2011043625.tif 000011
【図１０】
2011043625.tif 000012
【図１１】
2011043625.tif 000013
【図１２】
2011043625.tif 000014
【図１３】
2011043625.tif 000015